(57)【要約】      （修正有）【課題】装飾的美観を通じて感謝の気持ち等を伝える機能を、より多くの場面で手軽に活用できるフラワーレイを提供する。【解決手段】生花または造花１０からなる複数の花飾り片と、複数の花飾り片のそれぞれの間に介在する少なくとも２個のビーズ３０，３１と、花飾り片とビーズとに連通する糸４０と、ビーズ間に挿入されるメッセージカード２０とから構成される。メッセージカードには、外周縁から中心に向かって切り込み２１が設けられ、切り込みの先端部に孔２２が形成されていると、着脱自在ながら容易に外れないので好ましい。【選択図】図１
0003194571.tif 000002
【実用新案登録請求の範囲】
【請求項１】
生花または造花からなる複数の花飾り片と、前記複数の花飾り片のそれぞれの間に介在する少なくとも２個のビーズと、前記花飾り片とビーズとに連通する糸と、前記ビーズ間に挿入されるメッセージカードとから構成されるフラワーレイ。
【請求項２】
前記メッセージカード部には、外周縁から中心に向かって切り込みが設けられており、
この切り込みの先端部に孔が形成されていることを特徴とする請求項１に記載のフラワーレイ。
【請求項３】
前記ビーズの端部は、球状または錘状を呈していることを特徴とする請求項１または２に記載のフラワーレイ。
【考案の詳細な説明】
【技術分野】
【０００１】
本考案は、生花または造花からなるフラワーレイに関するものである。
【背景技術】
【０００２】
ハワイの民族的装飾品であるフラワーレイは、頭・首・肩等に掛ける花飾りとして世界中に広く知られている。一般的なフラワーレイは、天然の草花をリング状に繋げて作られるが、造花等からなるフラワーレイも存在する。これらのフラワーレイは、自然や神に対する礼拝を踊りで表現するフラの装飾として用いられる他に、誕生日や結婚式などの祭事の際に感謝の気持ちや敬愛の念を込めて贈られる贈呈品や、部屋の飾りとしても使用されている。
【考案の概要】
【考案が解決しようとする課題】
【０００３】
前記のように、フラワーレイは本来の用途意外にも用いられているものの、その範囲は贈呈品や装飾としての使用に留まり、それ以外には殆ど活用されていないのが現状である。
【０００４】
本考案は、前記状況に鑑みなされたものであり、フラワーレイが有する装飾的美観を通じて感謝の気持ちや敬愛の念等を相手に伝えるという機能を、より多くの場面で手軽に活用できる商品の提案を目的とするものである。
【課題を解決するための手段】
【０００５】
前記目的を達成するために本考案は、生花または造花からなる複数の花飾り片と、前記複数の花飾り片のそれぞれの間に介在する少なくとも２個のビーズと、前記花飾り片とビーズとを連通する糸と、前記ビーズ間に挿入されるメッセージカードとから構成されたフラワーレイである。
【０００６】
前記生花とは、生の花の他に生の草木や葉などを含む天然の草花全般を意味するものであり、また、前記造花とは、花の他に草木や葉等を形作った模造品全般を意味する。さらに、前記メッセージカードとは、言葉を綴ったカードのみに限定されるものではなく、使用者の気持等を伝える際に用いられるカード類全般を意味するものであって、写真等を添付したカード等も含まれる。
【０００７】
前記フラワーレイは、前記花飾り片と前記メッセージカードとを備えていることで、生花や造花からなる従来のフラワーレイが有する装飾的美観を通じて感謝の気持ち等を伝える機能と、メッセージカードが有する言葉等を通じて感謝の気持ち等を伝える機能とを兼ね備えている。
【０００８】
また、本考案における前記メッセージカードは、外周縁から中心に向かって切り込みが設けられており、この切り込みの先端部に孔が形成されていることを特徴とするものである。
【０００９】
前記切り込みおよび前記孔が設けられていることで、前記メッセージカードは、前記糸へ着脱自在でありながら容易に外れることのない構造となっている。すなわち、前記切り込みは、前記メッセージカードの一部に入れられた一筋の切れ目からなるものであり、前記糸がこの切れ目を通った後は閉じる仕組みとなっている。したがって、この切れ目を通って前記孔と係合した糸は、人為的に撓ませるなどしてこの切れ目部分に隙間を空けない限り前記孔からは外れない構造となっている。
【００１０】
また、本考案は、前記ビーズの端部が球状または錘状を呈していることを特徴とするものである。
【００１１】
端部が球状または錘状を呈したビーズが連なると、その間には必ず窪みが形成される。この窪みに前記メッセージカードの切り込み部分を差し込むと、これら球状または錘状をした端部が案内部位として機能し、メッセージカードの取り付けが容易となる。
【考案の効果】
【００１２】
本考案に係るフラワーレイは、前述したように、従来のフラワーレイが有する装飾的美観を通じて感謝の気持ち等を相手に伝える機能と、メッセージカードが有する言葉等を通じて感謝の気持ち等を相手に伝える機能とを兼ね備えていることから、従来のフラワーレイの使用機会に加えて、メッセージカードを贈る機会等においても幅広く活用することができる。
【００１３】
また、本考案に係るフラワーレイによれば、感謝の気持ち等を２つの異なる態様によって相手に伝えることができるため、従来のフラワーレイが有する機能をより高めることができる。
【００１４】
また、前述したように、前記メッセージカードは前記糸へ自由に着脱することができるため、様々な形状や素材のメッセージカードを任意の場所に取り付けることができる。したがって、使用者は、好みの美観や質感を有するメッセージカードを自由に配置することで、自身の嗜好に合った独自の美観等を有するフラワーレイを手軽にかつ楽しみながら作ることができる。
【００１５】
また、前述したように、前記メッセージカードは、前記糸に着脱自在でありながら容易には外れないため、本考案に係るフラワーレイを身につけて踊ったり振り回すこともできる。
【００１６】
さらに、前述したように、花飾り片間に介在する少なくとも２個のビーズが案内部材として機能することで前記糸に前記メッセージカードを取り付けることが容易となり、小さな子供等でも手軽に使用することができる。
【図面の簡単な説明】
【００１７】
【図１】図１は、本考案の実施の形態におけるフラワーレイの全体図である。
【図２】図２は、本考案の実施の形態におけるフラワーレイの一部分を拡大した図である。
【図３】図３は、本考案の実施の形態におけるフラワーレイのメッセージカードが糸に装着されている様子を側面から示した拡大図である。
【図４】図４は、本考案の実施の形態におけるフラワーレイに用いられるメッセージカードの一実施例の平面図である。
【考案を実施するための形態】
【００１８】
図１において符号１で示すフラワーレイは、前記花飾り片を形成する１２枚の造花１０と、これら造花１０の間に介在する１１枚のメッセージカード２０と、前記造花１０の間に介在する合計４８個の角錐状ビーズ３０および２２個の棒状ビーズ３１と、これらを連通する一本の糸４０と、この糸４０の両端に連結した一対の金具５０と、この一対の金具５０に連結した一対のリボン６０とから構成されている。
【００１９】
前記造花１０は、例えばポリエステル等の合成繊維からなり、図１ないし図３に示すように、５枚の花弁からなる花の形を呈している。造花１０の中央部には糸４０を通す孔１１が設けられており、この孔１１を介して造花１０と糸４０とが一体に連結している。本実施の形態では１２枚の造花１０が使用されているが、この枚数に限定されるものではなく、また、素材や形状についても特定のものに限定されない。素材については、ポリエステル等の合成繊維の他にセルロース等の合成樹脂製フィルムや紙等であってもよい。また、形状については、種々の生花の他、草木や葉等を形取ったものでもよく、平面的形状または立体的形状をしていてもよい。なお、造花の代わりに生花を用いてもよい。
【００２０】
前記メッセージカード２０は、例えばある程度厚みがあって腰を有する紙からなり、図４に示すように、貝殻を形取った形状を呈している。メッセージカード２０の大きさは、表面に文字や図柄を描くことができ、または写真等を添付できる程度のものが望ましい。本実施の形態では１１枚のメッセージカード２０が使用されているが、例えば数枚でもよく、この枚数に限定されるものではない。また、素材や形状についても特定のものに限定されない。素材については、紙の他に薄いプラスチック等の合成樹脂やポリエステルなどの合成繊維等からなるものであってもよい。また、形状については、星形や王冠形などでもよく、異なる形状のものを複数用いてもよい。なお、写真等を簡単に添付できるように接着シート等を用いた取付部を表面に設けたメッセージカード２０としてもよい。
【００２１】
前記メッセージカード２０には、図４に示すように、外周縁から中央部に向かってカッター等によって入れられた長さが略１０ｍｍの一筋の切れ目からなる切り込み２１が設けられ、また、切り込み２１の先端部には直径が略２ｍｍの孔２２が空けられている。これら切り込み２１および孔２２が設けられていることで、メッセージカード２０は、糸４０に対して着脱自在でありながら容易に外れない構造となっていることは前述したとおりである。なお、糸４０への差し込みを容易にするために、切り込み２１の外縁端近傍に略三角形を呈した切り欠き等を設けてもよい。
【００２２】
前記１２枚の造花１０の間に介在する合計４８個の前記角錐状ビーズ３０は、図１ないし図３に示すように、いずれも２つの六角錐を底面で合わせた形を呈しており、上下２つの頂部を貫くように糸４０を通す孔が空けられている。角錐状ビーズ３０の大きさは、幅と高さがいずれも略５ｍｍである。また、前記１２枚の造花１０の間に介在する合計２２個の前記棒状ビーズ３１は、図１ないし図３に示すように、いずれも直方体をしており、糸４０を通す孔が長手方向へ貫通するように空けられてる。棒状ビーズ３１の大きさは、幅略３ｍｍで長さが略１０ｍｍである。角錐状ビーズ３０および棒状ビーズ３１は、例えばアクリルからなるが、その他の合成樹脂やガラス、天然石や金属等であってもよい。
【００２３】
２枚の造花１０の間には、図３に示すように、いずれも４個の角錐状ビーズ３０と２個の棒状ビーズ３１とが介在し、２個の棒状ビーズ３１の両端には、それぞれ角錐状ビーズ３０が１個ずつ配置されている。２つの角錐状ビーズ３０が連なることで形成される窪み部分に差し込まれるようにして前記メッセージカード２０は糸４０に取り付けられている。
【００２４】
なお、前記メッセージカード２０を前記糸４０に取り付け易くすることに限れば、前記角錐状ビーズ３０を用いずに、前記２個の棒状ビーズ３１におけるそれぞれの両端部、または相互に対向し合うそれぞれの一端部を球状または錘状としてもよい。この場合、２個の棒状ビーズ３１が連なる部分に形成される窪みに前記メッセージカード２０の切り込み２１を差し込むと、球状または錘状を呈した棒状ビーズ３１の端部が案内部位として機能し、糸４０への取り付けが容易となる。
【００２５】
前記一本の糸４０は、図１に示すように、前記１２枚の造花１０と前記１１枚のメッセージカード２０と前記４８個の角錐状ビーズ３０と前記２２個の棒状ビーズ３１とに連通し、これらを一体に連結する部材である。糸４０は、例えば長さ略５００ｍｍのナイロン繊維からなるが、花飾りとしての用途を満たす一定の長さと強度とを有するものであれば特定のものに限定されない。
【００２６】
前記一対の金具５０は、図１ないし図３に示すように、前記糸４０と前記一対のリボン６０とを一つに繋げる部材であって、糸４０を挟持する留め部５１と、リボン６０を挟持する留め部５２と、留め部５１と留め部５２とを連結するリング５３とから構成されている（図１ないし図３参照）。金具５０の構成・構造については、本実施の形態のものに限定されず、例えば留め部５１と留め部５２とが一体に形成されていてもよい。なお、糸４０が環状に繋がり、または糸４０の両端が直接連結する構造の場合には、一対の金具５０は不要となる。
【００２７】
前記一対のリボン６０は、前述したように、一対の金具５０を介して糸４０と一つに繋がることでフラワーレイ１の両端部を形成する部材であり、例えばポリエステル製の長さが略４５０ｍｍで幅略２０ｍｍの帯体からなる。素材や大きさについては特定のものに限定されず、使用状況に応じて長さを調整できる仕様としてもよい。なお、前記糸４０が環状に繋がり、または糸４０の両端が直接連結する構造の場合には、一対のリボン６０は不要となる。
【００２８】
以上の構成からなるフラワーレイ１を首等に掛ける際は、フラワーレイ１の両端部を形成する前記リボン６０の端部を結んで環状のフラワーレイ１を形成する。このとき、リボン６０の端部にバックル等を設けて簡単に繋ぐことのできる構造としてもよい。
【００２９】
前記構成からなるフラワーレイ１によれば、前述したように、様々な形状や素材のメッセージカード２０を、糸４０における任意の場所に取り付けることができるので、使用者は、自身の嗜好に合わせて独自の美観と質感とを有するフラワーレイ１を気軽にかつ楽しみながら作り上げることができる。例えば前記造花１０と異なる素材のメッセージカード２０を取り付けることで、フラワーレイ１全体の質感に変化が生まれ、従来品とは一線を画したレイに仕上げることができる。
【００３０】
本考案に係るフラワーレイは、首に掛けて使用するだけでなく、クリスマスツリーの装飾や七夕の飾りとしても使用することができる。また、グリーティングカードや寄せ書きの台紙の代わりとしても使用することができる。
【符号の説明】
【００３１】
１…フラワーレイ、１０…造花、２０…メッセージカード、２１…切り込み、２２…孔、３０…角錐状ビーズ、３１…棒状ビーズ、４０…糸、５０…金具、６０…リボン。
【図１】
0003194571.tif 000003
【図２】
0003194571.tif 000004
【図３】
0003194571.tif 000005
【図４】
0003194571.tif 000006